(57)【要約】      （修正有）【課題】離乳食および介護食等を食べる対象者の利便性を確保しつつ、一時的に容器内に置く際に、容器が転倒することを抑制できるスプーンを提供する。【解決手段】スプーン１０の一つの態様は、柄部１１と、容器Ｃ内の内容物を掬い取り可能な掬い部１２と、を備え、柄部は、柄部の長手方向と直交する第１軸Ｒ１回りに柄部を折り曲げ可能な第１ヒンジ部２１と、掬い部が繋がる第１部分１１ａと、第１部分に第１ヒンジ部を介して連結された第２部分１１ｂと、を有し、第２部分は、掬い部が容器内に位置した状態で柄部が第１ヒンジ部を介して折り曲げられた際に、容器が接地される接地面ＩＳに接触する接触部１５を有することを特徴とする。【選択図】図７
2020121036.tif 000002
【特許請求の範囲】
【請求項１】
柄部と、
容器内の内容物を掬い取り可能な掬い部と、
を備え、
前記柄部は、
前記柄部の長手方向と直交する第１軸回りに前記柄部を折り曲げ可能な第１ヒンジ部と、
前記掬い部が繋がる第１部分と、
前記第１部分に前記第１ヒンジ部を介して連結された第２部分と、
を有し、
前記第２部分は、前記掬い部が前記容器内に位置した状態で前記柄部が前記第１ヒンジ部を介して折り曲げられた際に、前記容器が接地される接地面に接触する接触部を有することを特徴とするスプーン。
【請求項２】
前記接触部が設けられた部分における前記第２部分の厚さ方向の寸法は、前記第１部分の厚さ方向の寸法よりも大きいことを特徴とする請求項１に記載のスプーン。
【請求項３】
前記柄部の長手方向において、前記第２部分の寸法は、前記第１部分の寸法と前記掬い部の寸法とを足し合わせた寸法以上であることを特徴とする請求項１または２に記載のスプーン。
【請求項４】
前記第１部分から、前記柄部が前記第１ヒンジ部を介して折り曲げられる側に突出する第１突出部をさらに備えることを特徴とする請求項１に記載のスプーン。
【請求項５】
前記第２部分には、前記柄部が前記第１ヒンジ部を介して折り畳まれた際に、前記掬い部が嵌合される嵌合部が設けられていることを特徴とする請求項１または２に記載のスプーン。
【請求項６】
前記柄部は、前記柄部の長手方向に延びる第２軸回りに前記柄部を折り曲げ可能な第２ヒンジ部を有し、
前記第２ヒンジ部は、前記第１ヒンジ部を通り前記第１部分と前記第２部分とに跨って設けられていることを特徴とする請求項１から５のいずれか一項に記載のスプーン。
【請求項７】
前記第２部分は、前記第２部分の短手方向両側の部分を前記柄部の長手方向に延びる第３軸回りに折り曲げ可能な一対の第３ヒンジ部を有し、
前記一対の第３ヒンジ部を介して折り曲げられる前記第２部分の短手方向両側の部分は、前記第１部分に係合される被係合部を有することを特徴とする請求項１から５のいずれか一項に記載のスプーン。
【請求項８】
前記第１部分から、前記柄部が前記第１ヒンジ部を介して折り曲げられる側と逆側に突出する第２突出部をさらに備えることを特徴とする請求項１から７のいずれか一項に記載のスプーン。
【発明の詳細な説明】
【技術分野】
【０００１】
本発明は、スプーンに関する。
【背景技術】
【０００２】
例えば、特許文献１には、小箱等に収納するスプーンが記載されている。
【先行技術文献】
【特許文献】
【０００３】
【特許文献１】特開２０１３−２７５５５号公報
【発明の概要】
【発明が解決しようとする課題】
【０００４】
スプーンを使用して複数回に分けて容器内の内容物を掬う場合、途中でスプーンから手を離して、一時的にスプーンを容器内に置く場合がある。特に、離乳食および介護食等をスプーンで掬って食べさせる場合には、離乳食および介護食等を食べる対象者の口元を拭う等のために、一時的にスプーンを容器内に置く必要が生じやすい。この場合、容器の深さに対してスプーンの寸法が大きいと、スプーンの一部が容器の外部に突出する。そのため、スプーンによって容器のバランスが崩れて容器が転倒する、突出したスプーンの一部に手等を引っ掛けて容器を転倒させてしまう等の問題が生じる虞があった。
【０００５】
一方、容器の深さに対してスプーンの寸法が小さい場合には、上述した問題が生じることを抑制できる。しかし、この場合には、一時的にスプーンを容器内に置く場合、スプーンの全体が容器内に入り込み、再びスプーンを使用する際に、スプーンを取り扱いにくい。また、スプーンの寸法が小さいため、スプーンによって容器内の内容物を掬いにくい。したがって、スプーンの利便性が低下する問題がある。
【０００６】
本発明の一つの態様は、上記事情に鑑みて、利便性を確保しつつ、一時的に容器内に置く際に、容器が転倒することを抑制できるスプーンを提供することを目的の一つとする。
【課題を解決するための手段】
【０００７】
本発明のスプーンの一つの態様は、柄部と、容器内の内容物を掬い取り可能な掬い部と、を備え、前記柄部は、前記柄部の長手方向と直交する第１軸回りに前記柄部を折り曲げ可能な第１ヒンジ部と、前記掬い部が繋がる第１部分と、前記第１部分に前記第１ヒンジ部を介して連結された第２部分と、を有し、前記第２部分は、前記掬い部が前記容器内に位置した状態で前記柄部が前記第１ヒンジ部を介して折り曲げられた際に、前記容器が接地される接地面に接触する接触部を有することを特徴とする。
【０００８】
本発明のスプーンの一つの態様によれば、柄部の長手方向と直交する第１軸回りに柄部を折り曲げ可能な第１ヒンジ部が設けられている。そのため、掬い部が容器内に位置した状態でスプーンを一時的に容器内に置く場合に、第１ヒンジ部を介して第２部分を第１部分に対して折り曲げることができる。これにより、スプーンの全長が容器の深さに対して長くても、スプーンを容器内に置く場合に、スプーンのうち容器から上側に突出する部分の長さを短くできる。したがって、一時的に容器内に置いたスプーンに手等を引っ掛けにくく、容器を転倒させにくい。また、スプーンを第１ヒンジ部に沿って折り曲げることで、スプーンを容器の開口縁部に引っ掛けられるため、スプーンの重心を容器の重心に近づけやすい。これにより、スプーンによって容器のバランスが崩れることを抑制でき、容器が転倒することを抑制できる。
【０００９】
また、本発明のスプーンの一つの態様によれば、第２部分は、掬い部が容器内に位置した状態で柄部が第１ヒンジ部を介して折り曲げられた際に、容器が接地される接地面に接触する接触部を有する。そのため、第２部分が接触部を介して接地面によって支持される。これにより、容器が転倒しようとしても第２部分が接地面に対して突っかかり、容器が転倒することをより抑制できる。
【００１０】
また、本発明のスプーンの一つの態様によれば、第１ヒンジ部を介して折り曲げられた状態でスプーンを容器の開口縁部に引っ掛けることができるため、一時的にスプーンを容器内に置いた際に、スプーンの全体が容器内に入り込むことを抑制できる。そのため、再びスプーンを使用する際に、スプーンを取り扱いやすい。また、第１ヒンジ部を介して折り曲げない状態においては、スプーンの全長を比較的大きくしやすい。そのため、使用時に、スプーンによって容器内の内容物を掬いやすい。したがって、スプーンの利便性を確保できる。
以上により、本発明のスプーンの一つの態様によれば、利便性を確保しつつ、一時的に容器内に置く際に、容器が転倒することを抑制できるスプーンが得られる。
また、本発明のスプーンの一つの態様によれば、スプーンを使用しない場合には、第１ヒンジ部を介して柄部を折り畳むことで、スプーンの全長を短くできる。そのため、使用しない場合に、スプーンを短く折り畳み、例えば、容器内等に容易に収容できる。
【００１１】
前記接触部が設けられた部分における前記第２部分の厚さ方向の寸法は、前記第１部分の厚さ方向の寸法よりも大きい構成としてもよい。
この構成によれば、一時的にスプーンを容器内に置く際に接地面に接触する接触部の質量を大きくしやすい。これにより、接触部を安定して接地面に接触させることができ、容器が転倒することをより抑制できる。
【００１２】
前記柄部の長手方向において、前記第２部分の寸法は、前記第１部分の寸法と前記掬い部の寸法とを足し合わせた寸法以上である構成としてもよい。
この構成によれば、第２部分を比較的長くしやすく、接触部を接地面に接触させやすい。また、第２部分の質量を大きくしやすく、第２部分をより安定して接地面に接触させやすい。これにより、容器が転倒することをより抑制できる。
【００１３】
前記第１部分から、前記柄部が前記第１ヒンジ部を介して折り曲げられる側に突出する第１突出部をさらに備える構成としてもよい。
この構成によれば、一時的にスプーンを容器内に置く際、第１突出部を容器の内側面と接触させることができる。これにより、第１部分と容器の内側面との間に、隙間を作ることができる。したがって、一時的にスプーンを容器内に置いた際に、第１部分が容器の内側面と接触することを抑制でき、第１部分に内容物が付着することを抑制できる。そのため、一時的に容器内に置いていたスプーンを再び使用する際に、第１部分を把持しても、手に内容物が付着することを抑制できる。
【００１４】
前記第２部分には、前記柄部が前記第１ヒンジ部を介して折り畳まれた際に、前記掬い部が嵌合される嵌合部が設けられている構成としてもよい。
この構成によれば、柄部を折り畳んだ状態において、掬い部を嵌合部に安定して保持することができる。したがって、意図せずに柄部が折り曲げられる前の元の状態に戻ることを抑制できる。
【００１５】
前記柄部は、前記柄部の長手方向に延びる第２軸回りに前記柄部を折り曲げ可能な第２ヒンジ部を有し、前記第２ヒンジ部は、前記第１ヒンジ部を通り前記第１部分と前記第２部分とに跨って設けられている構成としてもよい。
この構成によれば、第２ヒンジ部を介して柄部を折り曲げることで、第１ヒンジ部を短手方向に折り曲げることができる。これにより、使用時に第２ヒンジ部に沿って柄部を折り曲げることで、使用時において第１ヒンジ部に沿って柄部が折れ曲がることを抑制できる。したがって、スプーンによって好適に容器内の内容物を掬うことができる。
【００１６】
前記第２部分は、前記第２部分の短手方向両側の部分を前記柄部の長手方向に延びる第３軸回りに折り曲げ可能な一対の第３ヒンジ部を有し、前記一対の第３ヒンジ部を介して折り曲げられる前記第２部分の短手方向両側の部分は、前記第１部分に係合される被係合部を有する構成としてもよい。
この構成によれば、第３ヒンジ部を介して第２部分の一部を折り曲げることで、第２部分の一部を第１部分に引っ掛けることができ、第１部分と第２部分とが第１ヒンジ部を介して折れ曲がることを抑制できる。これにより、使用時に第３ヒンジ部に沿って第２部分を折り曲げることで、使用時において第１ヒンジ部に沿って柄部が折れ曲がることを抑制できる。したがって、スプーンによって好適に容器内の内容物を掬うことができる。
【００１７】
前記第１部分から、前記柄部が前記第１ヒンジ部を介して折り曲げられる側と逆側に突出する第２突出部をさらに備える構成としてもよい。
この構成によれば、第２部分が接地面に接触した状態において、第２突出部が接地面に突っかかり、第１部分を第２部分に対して第１ヒンジ部を介して折り曲げた状態で保持できる。これにより、第１部分を接地面から離した状態で、スプーンを接地面上に置くことができる。したがって、掬い部の衛生状態を良好に保ちつつ、容器に引っ掛けることなくスプーンから一時的に手を離すことができる。
【発明の効果】
【００１８】
本発明の一つの態様によれば、一時的に容器内に置く際に、容器が転倒することを抑制できるスプーンが提供される。
【図面の簡単な説明】
【００１９】
【図１】図１は、第１実施形態のスプーンを表側から見た平面図である。
【図２】図２は、第１実施形態のスプーンを裏側から見た平面図である。
【図３】図３は、第１実施形態のスプーンを示す断面図であって、図１におけるIII−III断面図である。
【図４】図４は、第１実施形態のスプーンを折り畳んだ状態を示す図である。
【図５】図５は、第１実施形態のスプーンを基端側から見た図である。
【図６】図６は、第１実施形態のスプーンの使用状態の一例を示す図である。
【図７】図７は、第１実施形態のスプーンを一時的に容器内に置いた状態を示す図である。
【図８】図８は、第２実施形態のスプーンを表側から見た平面図である。
【図９】図９は、第２実施形態のスプーンを示す断面図であって、図８におけるIX−IX断面図である。
【図１０】図１０は、第２実施形態のスプーンを示す断面図であって、図９におけるX−X断面図である。
【図１１】図１１は、第２実施形態のスプーンを一時的に容器内に置いた状態を示す図である。
【図１２】図１２は、第３実施形態のスプーンを表側から見た平面図である。
【図１３】図１３は、第３実施形態のスプーンを示す断面図であって、図１２におけるXIII−XIII断面図である。
【図１４】図１４は、第３実施形態のスプーンを示す断面図であって、図１２におけるXIV−XIV断面図である。
【図１５】図１５は、第３実施形態のスプーンを示す断面図であって、図１２におけるXV−XV断面図である。
【図１６】図１６は、第３実施形態のスプーンを接地面に置いた状態を示す断面図である。
【発明を実施するための形態】
【００２０】
以下、図面を参照しながら、本発明の実施形態に係るスプーンについて説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００２１】
＜第１実施形態＞
本実施形態のスプーン１０は、例えば、樹脂製である。スプーン１０は、例えば、射出成形等により一体成形される。本実施形態のスプーン１０は、図１から図３に示すように、柄部１１と、掬い部１２と、を備える。柄部１１は、一方向に延びる板状である。掬い部１２は、柄部１１の一方側の端部に繋がっている。掬い部１２は、凹面である掬い面１２ａを有し、容器Ｃ（図６および図７参照）内の内容物を掬い取り可能である。容器Ｃ内に収容される内容物は、特に限定されない。内容物は、例えば、離乳食、および介護食等である。本実施形態のスプーン１０は、例えば、容器Ｃに付属しているスプーンである。言い換えれば、容器Ｃは、スプーン１０付きの容器である。容器Ｃは、接地面ＩＳ上に接地され、鉛直方向の上側に開口している。容器Ｃの上側の開口縁部Ｃａは、容器Ｃの径方向外側に突出するフランジ状である。
【００２２】
ここで、各図に適宜示すＺ軸方向は、板状の柄部１１の厚さ方向である。Ｚ軸方向の正の側（＋Ｚ側）は、掬い面１２ａが向く側であり、Ｚ軸方向の負の側（−Ｚ側）は、掬い面１２ａが向く側と逆側である。以下の説明においては、Ｚ軸方向を「厚さ方向」と呼ぶ。また、Ｚ軸方向の正の側（＋Ｚ側）、すなわち掬い面１２ａが向く側を「表側」と呼び、Ｚ軸方向の負の側（−Ｚ側）、すなわち掬い面１２ａが向く側と逆側を「裏側」と呼ぶ。
【００２３】
また、各図に適宜示すＹ軸方向は、厚さ方向と直交する方向であり、柄部１１の延びる方向、すなわち長手方向である。Ｙ軸方向の正の側（＋Ｙ側）は、掬い部１２が設けられる側であり、Ｙ軸方向の負の側（−Ｙ側）は、掬い部１２が設けられる側と逆側である。以下の説明においては、Ｙ軸方向を「長手方向」と呼ぶ。また、Ｙ軸方向の正の側（＋Ｙ側）、すなわち掬い部１２が設けられる側を「先端側」と呼び、Ｙ軸方向の負の側（−Ｙ側）、すなわち掬い部１２が設けられる側と逆側を「基端側」と呼ぶ。長手方向は、厚さ方向と直交する。
【００２４】
また、各図に適宜示すＸ軸方向は、厚さ方向および長手方向の両方と直交する柄部１１の短手方向である。以下の説明においては、Ｘ軸方向を「短手方向」と呼ぶ。
なお、以下の説明においては、特に断りのない限り、後述する各ヒンジ部によってスプーン１０が折り曲げられていない状態について各部の相対位置関係を説明する。
【００２５】
柄部１１は、図１から図３に示すように、使用者に把持される把持部１３と、掬い部１２と把持部１３とを連結するネック部１４と、を有する。ネック部１４は、把持部１３の先端側（＋Ｙ側）に繋がっている。ネック部１４は、図１に示すように、把持部１３よりも短手方向の寸法が小さい。ネック部１４の長手方向の寸法は、把持部１３の長手方向の寸法よりも小さい。
【００２６】
柄部１１は、柄部１１の長手方向と直交する第１軸Ｒ１回りに柄部１１を折り曲げ可能な第１ヒンジ部２１を有する。第１軸Ｒ１は、第１ヒンジ部２１を通る仮想線である。第１ヒンジ部２１は、第１軸Ｒ１に沿って短手方向に延びている。第１ヒンジ部２１は、柄部１１の短手方向の一端部から他端部まで直線的に延びている。本実施形態において第１ヒンジ部２１は、柄部１１のうち把持部１３に設けられている。第１ヒンジ部２１は、例えば、図２および図３に示すように、柄部１１に短手方向に延びる溝部１１ｄが設けられることで形成されている。溝部１１ｄは、把持部１３の裏側（−Ｚ側）の面に形成されている。
【００２７】
本実施形態において第１ヒンジ部２１は、柄部１１のうち第１ヒンジ部２１よりも先端側（＋Ｙ側）に位置する第１部分１１ａの表側（＋Ｚ側）の面と、柄部１１のうち第１ヒンジ部２１よりも基端側（−Ｙ側）に位置する第２部分１１ｂの表側の面とが、互いに近づく向きに柄部１１を折り曲げ可能である。第１ヒンジ部２１を介して柄部１１を折り曲げることで、図４に示すように柄部１１を折り畳むことができる。折り畳まれた状態において第１部分１１ａの表側の面と第２部分１１ｂの表側の面とは、接触している。
【００２８】
第１部分１１ａは、掬い部１２が繋がる部分である。第１部分１１ａは、把持部１３のうち第１ヒンジ部２１よりも先端側（＋Ｙ側）に位置する部分とネック部１４とを含む。
第２部分１１ｂは、第１部分１１ａに第１ヒンジ部２１を介して連結された部分である。第２部分１１ｂは、把持部１３のうち第１ヒンジ部２１よりも基端側（−Ｙ側）に位置する部分を含む。
【００２９】
図１に示すように、柄部１１の長手方向において、第２部分１１ｂの寸法Ｌ２は、第１部分１１ａの寸法Ｌ１よりも大きい。柄部１１の長手方向において、第２部分１１ｂの寸法Ｌ２は、第１部分１１ａの寸法Ｌ１と掬い部１２の寸法Ｌ３とを足し合わせた寸法以上である。本実施形態において第２部分１１ｂの寸法Ｌ２は、第１部分１１ａの寸法Ｌ１と掬い部１２の寸法Ｌ３とを足し合わせた寸法よりも大きい。第１部分１１ａの寸法Ｌ１は、掬い部１２の寸法Ｌ３よりも大きい。
【００３０】
第２部分１１ｂには、図１から図３に示すように、第２部分１１ｂを厚さ方向に貫通する貫通孔１１ｃが形成されている。貫通孔１１ｃは、例えば、第２部分１１ｂの長手方向の中央部に位置する。貫通孔１１ｃは、例えば、長手方向に長い長円状である。図１に示すように、スプーン１０のうち第１ヒンジ部２１から貫通孔１１ｃの基端側（−Ｙ側）の端部までの部分の長手方向の寸法Ｌ４は、第１部分１１ａの寸法Ｌ１よりも小さい。図４に示すように、柄部１１が折り畳まれた状態において、貫通孔１１ｃは、第１部分１１ａと厚さ方向に重なっている。より詳細には、柄部１１が折り畳まれた状態において、貫通孔１１ｃは、ネック部１４と厚さ方向に重なっている。
【００３１】
第２部分１１ｂは、図３に示すように、一対の第１土手部（接触部）１５と、第２土手部１６と、を有する。第１土手部１５および第２土手部１６は、把持部１３から表側（＋Ｚ側）に突出している。
一対の第１土手部１５は、図１に示すように、第２部分１１ｂのうち基端側（−Ｙ側）の端部における短手方向両縁側にそれぞれ設けられている。第１土手部１５は、長手方向に延びている。第１土手部１５の先端側（＋Ｙ側）の端部は、貫通孔１１ｃよりも基端側に位置する。一対の第１土手部１５同士の間の短手方向の距離は、先端側の端部において小さくなっている。第１土手部１５が設けられた部分における第２部分１１ｂの厚さ方向の寸法は、第１部分１１ａの厚さ方向の寸法よりも大きい。
第２土手部１６は、第２部分１１ｂのうち基端側の端部に設けられている。第２土手部１６は、短手方向に延びている。第２土手部１６は、一対の第１土手部１５の基端側の端部同士を繋いでいる。
【００３２】
第２部分１１ｂには、一対の第１土手部１５と第２土手部１６と把持部１３とによって構成された嵌合部１７が設けられている。嵌合部１７は、裏側（−Ｚ側）に向かって窪む凹部であり、嵌合部１７の内部は、先端側（＋Ｙ側）に開口している。嵌合部１７の内側面の形状は、厚さ方向から見て、掬い部１２の外縁に沿った形状である。図４に示すように、柄部１１が第１ヒンジ部２１を介して折り畳まれた状態において、嵌合部１７には、掬い部１２が嵌合される。嵌合部１７に嵌合された状態において掬い部１２の掬い面１２ａは、嵌合部１７の底面によって覆われている。
【００３３】
第２部分１１ｂには、図２に示すように、複数のリブ１８が設けられている。リブ１８は、把持部１３の裏側（−Ｚ側）の面に設けられている。リブ１８は、長手方向に延びている。リブ１８は、第２部分１１ｂの短手方向の中心を挟んで、２つずつ設けられている。リブ１８の先端側（＋Ｙ側）の端部は、第１ヒンジ部２１よりも基端側（−Ｙ側）に離れており、貫通孔１１ｃよりも先端側に位置する。リブ１８の基端側の端部は、把持部１３の基端側の端部よりも先端側に離れており、貫通孔１１ｃよりも基端側に位置する。
【００３４】
柄部１１は、図２および図５に示すように、柄部１１の長手方向に延びる第２軸Ｒ２回りに柄部１１を折り曲げ可能な第２ヒンジ部２２を有する。図２に示すように、第２ヒンジ部２２は、長手方向に延びている。第２ヒンジ部２２は、長手方向において、把持部１３のほぼ全体に亘って設けられている。第２ヒンジ部２２は、第１ヒンジ部２１を通り第１部分１１ａと第２部分１１ｂとに跨って設けられている。本実施形態において第２ヒンジ部２２は、第１溝部１１ｅと、第２溝部１１ｆと、によって形成されている。
【００３５】
第１溝部１１ｅは、柄部１１の裏側（−Ｚ側）の面のうち短手方向の中央部に設けられている。第１溝部１１ｅは、長手方向に延びている。第１溝部１１ｅの基端側（−Ｙ側）の端部は、柄部１１の基端側の端部に開口している。第１溝部１１ｅの溝底面には、貫通孔１１ｃが開口している。
第２溝部１１ｆは、第１溝部１１ｅの溝底面のうち短手方向の中央部に設けられている。第２溝部１１ｆは、長手方向に延びている。第２溝部１１ｆは、第１溝部１１ｅの先端側（＋Ｙ側）の端部から、第１ヒンジ部２１を形成する溝部１１ｄを通って貫通孔１１ｃの先端側の端部まで延びている。
第１溝部１１ｅおよび第２溝部１１ｆが柄部１１の裏側の面に設けられて第２ヒンジ部２２が形成されているため、図５に二点鎖線で示すように、第２ヒンジ部２２は、第２ヒンジ部２２を挟む柄部１１の短手方向両側の部分における表側（＋Ｚ側）の面同士が互いに近づく向きに、柄部１１を第２軸Ｒ２回りに折り曲げ可能である。
【００３６】
本実施形態のスプーン１０は、使用されない状態において、例えば、図４に示すように、柄部１１が第１ヒンジ部２１に沿って長手方向に折り畳まれた状態とされている。スプーン１０は、折り畳まれた状態において、例えば、スプーン１０によって掬う内容物が収容された容器Ｃに収容されている。なお、スプーン１０は、折り畳まれた状態において、例えば、容器Ｃの図示しない蓋部等に収容されていてもよい。
【００３７】
スプーン１０を使用する際、まず使用者は、柄部１１を図４に示す折り畳まれた状態から、図１から図３に示す折り畳まれる前の状態に戻す。具体的に使用者は、貫通孔１１ｃに手指等を挿入してネック部１４を押すことで、嵌合部１７に嵌合された掬い部１２を外す。そして、使用者は、第１ヒンジ部２１を介して折り畳む際とは逆向きに第１部分１１ａと第２部分１１ｂとを相対回転させることで、スプーン１０を折り畳まれる前の状態に戻す。
【００３８】
次に使用者は、図５および図６に示すように、第２ヒンジ部２２に沿って柄部１１のうち把持部１３を短手方向に折り曲げる。図５に示すように、第２ヒンジ部２２に沿って折り曲げられた状態において柄部１１は、長手方向から見て、略Ｖ字状である。この状態のスプーン１０を用いて使用者は、図６に示すように鉛直方向の上側に開口している容器Ｃ内に掬い部１２を挿入し、容器Ｃ内の内容物を掬う。
【００３９】
スプーン１０から手を離し一時的にスプーン１０を容器Ｃ内に置く場合、使用者は、第２ヒンジ部２２に沿って折り曲げられた柄部１１を元に戻した後に、図７に示すように、第１ヒンジ部２１に沿って柄部１１を長手方向に折り曲げる。そして、使用者は、容器Ｃの上側の開口縁部Ｃａに折り曲げたスプーン１０を引っ掛ける。このとき、使用者は、掬い部１２および第１部分１１ａの一部が容器Ｃ内に位置し、かつ、第２部分１１ｂが容器Ｃの外部に位置する状態とする。本実施形態において使用者は、スプーン１０を容器Ｃ内に置く場合、掬い部１２の掬い面１２ａが容器Ｃの内側面と対向する向きに、掬い部１２および第１部分１１ａの一部を容器Ｃ内に配置する。
【００４０】
図７に示す状態において第１部分１１ａは、略鉛直方向に沿って延びる状態となり、上端部が容器Ｃから鉛直方向の上側に突出している。また、図７に示す状態において第２部分１１ｂは、第１部分１１ａの上端部から斜め下方に延び、容器Ｃが接地される接地面ＩＳまで延びて、接地面ＩＳと接触している。すなわち、第２部分１１ｂの寸法Ｌ２は、容器Ｃの鉛直方向の寸法Ｌ５よりも大きい。本実施形態において接地面ＩＳと接触する接触部は、第１土手部１５である。また、第２部分１１ｂの表側の面は、容器Ｃの上側の開口縁部Ｃａに外側から接触している。
【００４１】
図７に示す状態から再びスプーン１０を使用する場合、使用者は、第１ヒンジ部２１に沿って柄部１１を再び折り曲げられていない状態に戻してから、第２ヒンジ部２２に沿って柄部１１を短手方向に折り曲げる。これにより、使用者は、スプーン１０を図６に示す状態へと戻し、スプーン１０によって容器Ｃ内の内容物を掬う。
【００４２】
本実施形態によれば、柄部１１の長手方向と直交する第１軸Ｒ１回りに柄部１１を折り曲げ可能な第１ヒンジ部２１が設けられている。そのため、掬い部１２が容器Ｃ内に位置した状態でスプーン１０を一時的に容器Ｃ内に置く場合に、第１ヒンジ部２１を介して第２部分１１ｂを第１部分１１ａに対して折り曲げることができる。これにより、スプーン１０の全長が容器Ｃの深さに対して長くても、スプーン１０を容器Ｃ内に置く場合に、スプーン１０のうち容器Ｃから上側に突出する部分の長さを短くできる。したがって、一時的に容器Ｃ内に置いたスプーン１０に手等を引っ掛けにくく、容器Ｃを転倒させにくい。また、スプーン１０を第１ヒンジ部２１に沿って折り曲げることで、スプーン１０を容器Ｃの開口縁部Ｃａに引っ掛けられるため、スプーン１０の重心を容器Ｃの重心に近づけやすい。これにより、スプーン１０によって容器Ｃのバランスが崩れることを抑制でき、容器Ｃが転倒することを抑制できる。
【００４３】
また、本実施形態によれば、第２部分１１ｂは、掬い部１２が容器Ｃ内に位置した状態で柄部１１が第１ヒンジ部２１を介して折り曲げられた際に、容器Ｃが接地される接地面ＩＳに接触する接触部として第１土手部１５を有する。そのため、第２部分１１ｂが第１土手部１５を介して接地面ＩＳによって支持される。これにより、容器Ｃが転倒しようとしても第２部分１１ｂが接地面ＩＳに対して突っかかり、容器Ｃが転倒することをより抑制できる。
【００４４】
また、本実施形態によれば、第１ヒンジ部２１を介して折り曲げられた状態でスプーン１０を容器Ｃの開口縁部Ｃａに引っ掛けることができるため、一時的にスプーン１０を容器Ｃ内に置いた際に、スプーン１０の全体が容器Ｃ内に入り込むことを抑制できる。そのため、再びスプーン１０を使用する際に、スプーン１０を取り扱いやすい。また、第１ヒンジ部２１を介して折り曲げない状態においては、スプーン１０の全長を比較的大きくしやすい。そのため、使用時に、スプーン１０によって容器Ｃ内の内容物を掬いやすい。したがって、スプーン１０の利便性を確保できる。
以上により、本実施形態によれば、利便性を確保しつつ、一時的に容器Ｃ内に置く際に、容器Ｃが転倒することを抑制できるスプーン１０が得られる。
【００４５】
また、本実施形態によれば、スプーン１０を使用しない場合には、第１ヒンジ部２１を介して柄部１１を折り畳むことで、スプーン１０の全長を短くできる。そのため、使用しない場合に、スプーン１０を短く折り畳み、例えば、容器Ｃ内等に容易に収容できる。本実施形態では、柄部１１の長手方向において、第２部分１１ｂの寸法Ｌ２は、第１部分の寸法Ｌ１と掬い部１２の寸法Ｌ３とを足し合わせた寸法以上である。そのため、折り畳んだ際のスプーン１０の全長は、第２部分１１ｂの寸法Ｌ２と同じとなる。本実施形態では、例えば、第２部分１１ｂの寸法Ｌ２は、容器Ｃの上側の開口内径Ｄよりも小さい。したがって、折り畳んだ状態においてスプーン１０を容器Ｃ内等に容易に収容できる。
【００４６】
また、本実施形態によれば、接触部である第１土手部１５が設けられた部分における第２部分１１ｂの厚さ方向の寸法は、第１部分１１ａの厚さ方向の寸法よりも大きい。そのため、一時的にスプーン１０を容器Ｃ内に置く際に接地面ＩＳに接触する第１土手部１５の質量を大きくしやすい。これにより、第１土手部１５を安定して接地面ＩＳに接触させることができ、容器Ｃが転倒することをより抑制できる。
【００４７】
また、本実施形態によれば、柄部１１の長手方向において、第２部分１１ｂの寸法Ｌ２は、第１部分１１ａの寸法Ｌ１と掬い部１２の寸法Ｌ３とを足し合わせた寸法以上である。そのため、第２部分１１ｂを比較的長くしやすく、第１土手部１５を接地面ＩＳに接触させやすい。また、第２部分１１ｂの質量を大きくしやすく、第２部分１１ｂをより安定して接地面ＩＳに接触させやすい。これにより、容器Ｃが転倒することをより抑制できる。
【００４８】
また、本実施形態によれば、第２部分１１ｂには、柄部１１が第１ヒンジ部２１を介して折り畳まれた際に、掬い部１２が嵌合される嵌合部１７が設けられている。そのため、柄部１１を折り畳んだ状態において、掬い部１２を嵌合部１７に安定して保持することができる。したがって、意図せずに柄部１１が折り曲げられる前の元の状態に戻ることを抑制できる。
【００４９】
また、本実施形態によれば、第２部分１１ｂには、柄部１１が第１ヒンジ部２１を介して折り畳まれた状態において、第１部分１１ａと対向する貫通孔１１ｃが設けられている。そのため、貫通孔１１ｃに手指等を挿入して第１部分１１ａを押すことで、掬い部１２と嵌合部１７との嵌合を容易に外すことができる。これにより、スプーン１０を折り畳まれた状態から使用状態に切り替えることが容易である。
【００５０】
また、本実施形態によれば、スプーン１０における第１ヒンジ部２１から貫通孔１１ｃの基端側の端部までの部分の長手方向の寸法Ｌ４は、第１部分１１ａの寸法Ｌ１よりも小さい。そのため、柄部１１を折り畳んだ際に、掬い部１２が貫通孔１１ｃと対向することがない。これにより、上述したように貫通孔１１ｃに手指等を挿入して嵌合部１７の嵌合を外す場合であっても、手指等が掬い部１２に接触することを抑制できる。したがって、掬い部１２の衛生状態を良好に保つことができる。
【００５１】
また、本実施形態によれば、柄部１１の長手方向に延びる第２軸Ｒ２回りに柄部１１を折り曲げ可能な第２ヒンジ部２２が、第１ヒンジ部２１を通り第１部分１１ａと第２部分１１ｂとに跨って設けられている。そのため、第２ヒンジ部２２を介して柄部１１を折り曲げることで、第１ヒンジ部２１を短手方向に折り曲げることができる。これにより、使用時に第２ヒンジ部２２に沿って柄部１１を折り曲げることで、使用時において第１ヒンジ部２１に沿って柄部１１が折れ曲がることを抑制できる。したがって、スプーン１０によって好適に容器Ｃ内の内容物を掬うことができる。
【００５２】
＜第２実施形態＞
本実施形態は、第１実施形態に対して、第１突出部１３０が設けられている点が異なる。なお、上述した実施形態と同様の構成については、適宜同一の符号を付す等により説明を省略する場合がある。
【００５３】
本実施形態のスプーン１１０は、図８から図１０に示すように、第１突出部１３０を備える。第１突出部１３０は、第１部分１１ａの表側（＋Ｚ側）の面に設けられている。より詳細には、第１突出部１３０は、第１部分１１ａのうちネック部１４の先端側（＋Ｙ側）の端部における表側の面に設けられている。第１突出部１３０は、図９および図１１に示すように、第１部分１１ａから、柄部１１１が第１ヒンジ部２１を介して折り曲げられる側（表側，＋Ｚ側）に突出している。第１突出部１３０は、図８に示すように、掬い部１２の基端側（−Ｙ側）の縁部に沿って略円弧状に延びている。図１０に示すように、第１突出部１３０の突出する側の端部のうち短手方向両側の端部は、丸みを帯びている。
【００５４】
本実施形態の第２部分１１１ｂの貫通孔１１１ｃは、図８に示すように、第１孔部１１１ｇと、第２孔部１１１ｈと、を有する。第１孔部１１１ｇは、第１実施形態の貫通孔１１ｃと同様の形状である。第２孔部１１１ｈは、第１孔部１１１ｇの基端側（−Ｙ側）の端部に繋がっている。第２孔部１１１ｈは、厚さ方向から見て、先端側（＋Ｙ側）に凹となる略円弧状である。図９において二点鎖線で示すように、スプーン１１０が折り畳まれた状態において、第１突出部１３０は、第２孔部１１１ｈに通される。スプーン１１０が折り畳まれた状態において、第１突出部１３０は、第２孔部１１１ｈを介して、第２部分１１１ｂよりも裏側（−Ｚ側）に突出する。スプーン１１０のその他の構成は、第１実施形態のスプーン１０のその他の構成と同様である。
【００５５】
本実施形態によれば、第１部分１１ａから、柄部１１１が第１ヒンジ部２１を介して折り曲げられる側に突出する第１突出部１３０が設けられている。そのため、図１１に示すように、一時的にスプーン１１０を容器Ｃ内に置く際、第１突出部１３０を容器Ｃの内側面と接触させることができる。これにより、第１部分１１ａと容器Ｃの内側面との間に、隙間Ｇを作ることができる。したがって、一時的にスプーン１１０を容器Ｃ内に置いた際に、第１部分１１ａが容器Ｃの内側面と接触することを抑制でき、第１部分１１ａに内容物が付着することを抑制できる。そのため、一時的に容器Ｃ内に置いていたスプーン１１０を再び使用する際に、第１部分１１ａを把持しても、手に内容物が付着することを抑制できる。
【００５６】
また、本実施形態によれば、第１突出部１３０は、第１部分１１ａの先端側の端部に設けられ、掬い部１２の基端側の縁部に沿って延びている。そのため、掬い部１２によって掬った内容物を第１突出部１３０によって堰き止めることができ、掬い部１２から内容物が零れることを抑制できる。
【００５７】
＜第３実施形態＞
本実施形態は、第１実施形態に対して、第２ヒンジ部２２の代わりに一対の第３ヒンジ部２２３が設けられている点が異なる。なお、上述した実施形態と同様の構成については、適宜同一の符号を付す等により説明を省略する場合がある。
【００５８】
本実施形態においてスプーン２１０の第１部分２１１ａは、図１２および図１３に示すように、把持部２１３のうち第１ヒンジ部２１よりも先端側（＋Ｙ側）に位置する先端部分２１３ａと、ネック部２１４と、を含む。先端部分２１３ａには、先端部分２１３ａを厚さ方向に貫通する孔２１３ｎが形成されている。
ネック部２１４は、長手方向に延びている。図１２に示すように、ネック部２１４には、長手方向に沿って等間隔に並んで配置される複数の目盛り部２１４ａが設けられている。各目盛り部２１４ａは、短手方向に直線状に延びるマークと、掬い部１２の先端側の端部から当該マークまでの長手方向の距離を示す数字と、を有する。本実施形態において目盛り部２１４ａは、例えば、５つ設けられている。
【００５９】
本実施形態のスプーン２１０は、図１３から図１５に示すように、第２突出部２４０を備える。第２突出部２４０は、第１部分２１１ａから、柄部２１１が第１ヒンジ部２１を介して折り曲げられる側と逆側（裏側，−Ｚ側）に突出している。本実施形態において第２突出部２４０は、第１部分２１１ａのうち把持部２１３の先端部分２１３ａに設けられている。なお、図１４および図１５においては、掬い部１２の図示を省略している。
【００６０】
第２突出部２４０は、図１３および図１５に示すように、厚さ方向延伸部２４１と、長手方向延伸部２４２と、係合突起部２４３と、を有する。
厚さ方向延伸部２４１は、図１３に示すように、把持部２１３の先端部分２１３ａから裏側（−Ｚ側）に突出している。
長手方向延伸部２４２は、厚さ方向延伸部２４１の裏側の端部から基端側（−Ｙ側）に突出している。長手方向延伸部２４２は、孔２１３ｎと厚さ方向に対向して配置されている。
係合突起部２４３は、図１５に示すように、長手方向延伸部２４２の表側（＋Ｚ側）の面に設けられている。係合突起部２４３は、長手方向延伸部２４２の表側の面における短手方向の両端部にそれぞれ設けられている。
【００６１】
本実施形態においてスプーン２１０の第２部分２１１ｂは、図１２に示すように、把持部２１３のうち第１ヒンジ部２１を介して先端部分２１３ａの基端側（−Ｙ側）に連結される基端部分２１３ｂと、基端部分２１３ｂに設けられた一対の第３ヒンジ部２２３と、を有する。
把持部２１３の基端部分２１３ｂは、本体部２１３ｉと、幅広部２１３ｈと、一対の被折曲部２１３ｊと、を有する。
本体部２１３ｉは、第１ヒンジ部２１を介して把持部２１３の先端部分２１３ａと連結される部分である。本体部２１３ｉの短手方向の寸法は、先端部分２１３ａの短手方向の寸法よりも小さい。本体部２１３ｉの基端側の端部には、貫通孔１１ｃが形成されている。
【００６２】
幅広部２１３ｈは、本体部２１３ｉの基端側（−Ｙ側）に繋がっている。幅広部２１３ｈの短手方向の寸法は、本体部２１３ｉの短手方向の寸法よりも大きい。幅広部２１３ｈには、第１土手部１５および第２土手部１６が設けられ、嵌合部１７が形成されている。
一対の被折曲部２１３ｊは、本体部２１３ｉの短手方向両側に一対の第３ヒンジ部２２３のそれぞれを介して連結されている。一対の被折曲部２１３ｊは、第３ヒンジ部２２３を介して、本体部２１３ｉに対して折り曲げ可能とされた部分である。一対の被折曲部２１３ｊは、長手方向に延びている。被折曲部２１３ｊの先端側（＋Ｙ側）の端部は、第１ヒンジ部２１よりも先端側に位置する。被折曲部２１３ｊは、先端側の端部に被係合部２１３ｍを有する。各被折曲部２１３ｊの表側（＋Ｚ側）の面には、それぞれ２つのリブ２１８が形成されている。リブ２１８は、長手方向に延びている。
【００６３】
第３ヒンジ部２２３は、第２部分２１１ｂの短手方向両側の部分を柄部２１１の長手方向に延びる第３軸Ｒ３回りに折り曲げ可能である。本実施形態において一対の第３ヒンジ部２２３を介して折り曲げられる第２部分２１１ｂの短手方向両側の部分とは、一対の被折曲部２１３ｊである。第３ヒンジ部２２３は、長手方向に延びている。第３ヒンジ部２２３の先端側（＋Ｙ側）の端部は、第１ヒンジ部２１よりも基端側（−Ｙ側）に離れて配置されている。第３ヒンジ部２２３の基端側の端部は、本体部２１３ｉの基端側の端部に位置する。本実施形態において第３ヒンジ部２２３は、第２部分２１１ｂの表側（＋Ｚ側）の面に設けられた第３溝部２１３ｋによって形成されている。第３溝部２１３ｋは、長手方向に延びている。
【００６４】
図１４に二点鎖線で示すように、一対の第３ヒンジ部２２３によって、一対の被折曲部２１３ｊは、裏側（−Ｚ側）に折り曲げられる。折り曲げられた一対の被折曲部２１３ｊは、本体部２１３ｉの裏側に位置する。折り曲げられた一対の被折曲部２１３ｊの短手方向端部同士は、互いに接触する。図１５に二点鎖線で示すように、折り曲げられた一対の被折曲部２１３ｊにおける被係合部２１３ｍは、一対の係合突起部２４３のそれぞれに係合される。これにより、被係合部２１３ｍは、第１部分２１１ａに係合される。
スプーン２１０のその他の構成は、第１実施形態のスプーン１０のその他の構成と同様である。
【００６５】
本実施形態によれば、第３ヒンジ部２２３を介して折り曲げられる第２部分２１１ｂの短手方向両側の部分である被折曲部２１３ｊが、第１部分２１１ａに係合される被係合部２１３ｍを有する。そのため、第３ヒンジ部２２３を介して被折曲部２１３ｊを折り曲げることで、第２部分２１１ｂの一部を第１部分２１１ａに引っ掛けることができ、第１部分２１１ａと第２部分２１１ｂとが第１ヒンジ部２１を介して折れ曲がることを抑制できる。これにより、使用時に第３ヒンジ部２２３に沿って第２部分２１１ｂを折り曲げることで、使用時において第１ヒンジ部２１に沿って柄部２１１が折れ曲がることを抑制できる。したがって、スプーン２１０によって好適に容器Ｃ内の内容物を掬うことができる。
【００６６】
また、本実施形態によれば、第１部分２１１ａから、柄部２１１が第１ヒンジ部２１を介して折り曲げられる側と逆側に突出する第２突出部２４０が設けられている。そのため、図１６に示すように、例えば、第２部分２１１ｂの裏側の面が接地面ＩＳに接触した状態において、第２突出部２４０が接地面ＩＳに突っかかり、第１部分２１１ａを第２部分２１１ｂに対して第１ヒンジ部２１を介して折り曲げた状態で保持できる。これにより、第１部分２１１ａを接地面ＩＳから離した状態で、スプーン２１０を接地面ＩＳ上に置くことができる。したがって、掬い部１２の衛生状態を良好に保ちつつ、容器Ｃに引っ掛けることなくスプーン２１０から一時的に手を離すことができる。
【００６７】
また、本実施形態によれば、ネック部２１４には、目盛り部２１４ａが設けられている。そのため、例えば、スプーン２１０を用いて離乳食または介護食等を対象者に食べさせる際に、対象者の口腔内にスプーン２１０がどの程度挿入された状態となっているかを目視で確認できる。これにより、対象者に離乳食または介護食等を好適に食べさせることができる。
【００６８】
なお、本発明は上述した実施形態に限られず、下記の構成を採用することもできる。
第１ヒンジ部は、柄部の長手方向と直交する第１軸回りに柄部を折り曲げ可能ならば、特に限定されない。第１ヒンジ部によって連結される第１部分と第２部分とは、互いに別部材であってもよい。この場合、第１ヒンジ部は、第１部分および第２部分と別部材の蝶番等であってもよい。第１ヒンジ部によって柄部が折れ曲がる向きは、上述した各実施形態と逆向きであってもよい。この場合、第１ヒンジ部は、第１部分の裏側の面と第２部分の裏側の面とが互いに近づく向きに柄部を折り曲げ可能である。また、第１ヒンジ部によって柄部が折れ曲がる向きは、上述した各実施形態の向きと、上述した各実施形態と逆向きとの両方の向きであってもよい。
第２ヒンジ部および第３ヒンジ部は、設けられなくてもよい。
【００６９】
柄部の長手方向において、第１部分の寸法と第２部分の寸法とは、特に限定されない。第１部分の長手方向の寸法は、第２部分の長手方向の寸法と同じであってもよいし、第２部分の長手方向の寸法より大きくてもよい。
上述した各実施形態のスプーンは、容器Ｃに付属するスプーンでなくてもよい。上述した各実施形態のスプーンの用途は、特に限定されない。
本明細書において説明した各構成は、相互に矛盾しない範囲内において、相互に組み合わせることができる。
【符号の説明】
【００７０】
１０，１１０，２１０…スプーン、１１，１１１，２１１…柄部、１１ａ，２１１ａ…第１部分、１１ｂ，１１１ｂ，２１１ｂ…第２部分、１２…掬い部、１５…第１土手部（接触部）、１７…嵌合部、２１…第１ヒンジ部、２２…第２ヒンジ部、１３０…第１突出部、２１３ｍ…被係合部、２２３…第３ヒンジ部、２４０…第２突出部、Ｃ…容器、ＩＳ…接地面、Ｒ１…第１軸、Ｒ２…第２軸、Ｒ３…第３軸
【図１】
2020121036.tif 000003
【図２】
2020121036.tif 000004
【図３】
2020121036.tif 000005
【図４】
2020121036.tif 000006
【図５】
2020121036.tif 000007
【図６】
2020121036.tif 000008
【図７】
2020121036.tif 000009
【図８】
2020121036.tif 000010
【図９】
2020121036.tif 000011
【図１０】
2020121036.tif 000012
【図１１】
2020121036.tif 000013
【図１２】
2020121036.tif 000014
【図１３】
2020121036.tif 000015
【図１４】
2020121036.tif 000016
【図１５】
2020121036.tif 000017
【図１６】
2020121036.tif 000018